(57)【要約】 【課題】  種々の作物の各々の適正な植え付けデータを誰でもが正確に測って植え付けることができ、かつ、このような植え付け作業を容易におこなえるようにする。【解決手段】  長尺な本体１に複数の植え付け作物の各々の適正な畦幅Ａ、株間Ｂ、条間Ｃ、及び、畦高Ｄ等の植え付けデータＸを表示する表示域Ｓを上記本体１の長さ方向に帯状に形成する。帯状の表示域Ｓを上記本体１の幅方向に区画して上記植え付けデータＸの数に応じて複数本形成する。各表示域Ｓの零位置を一致させ、各表示域Ｓの先頭部に畦幅Ａ、株間Ｂ、条間Ｃ、及び、畦高Ｄ等の植え付けデータＸの呼称を文字表記する。各表示域Ｓに植え付け作物における上記呼称に応じた畦幅Ａ、株間Ｂ、条間Ｃ、及び、畦高Ｄ等の植え付けデータＸを実物大寸法にて作物名の絵柄によって表示している。【選択図】        図１
2005164613.tif 000002
【特許請求の範囲】
【請求項１】
長尺な本体に複数の植え付け作物の各々の適正な畦幅、株間、条間、及び、畦高等の植え付けデータを表示する表示域を上記本体の長さ方向に帯状に形成するとともに帯状の表示域を上記本体の幅方向に区画して上記植え付けデータの数に応じて複数本形成し、各表示域の零位置を一致させ、各表示域の先頭部に畦幅、株間、条間、及び、畦高等の植え付けデータの呼称を文字表記し、各表示域に植え付け作物における上記呼称に応じた畦幅、株間、条間、及び、畦高等の植え付けデータを実物大寸法にて作物名の絵柄によって表示して成ることを特徴とする作物メジャー。
【請求項２】
長尺な本体に長さ目盛りを付し、長さ目盛りの零位置を基準に植え付けデータを表示して成ることを特徴とする請求項１記載の作物メジャー。
【請求項３】
長尺な本体をテープ状に形成して成ることを特徴とする請求項１又は２記載の作物メジャー。
【請求項４】
長尺なテープ状の本体の裏面に粘着剤層を形成して成ることを特徴とする請求項３記載の作物メジャー。
【請求項５】
請求項１又は２又は４のいずれかに記載の作物メジャーを農機具の柄又は棒状体に設けて成ることを特徴とする作物メジャー。
【発明の詳細な説明】
【技術分野】
【０００１】
本発明は、作物メジャーに関し、詳しくは、種々の作物の適正な畦幅、株間、条間、及び、畦高等の適正な植え付けデータのとおりに誰でもが植え付けることができ、かつ、このような植え付け作業を容易におこなえるようにしようとする技術に係るものである。
【背景技術】
【０００２】
一般に、ほ場において畦を造成し、畦に間隔を隔てて農作物を植え付けるのであるが、この場合、植え付ける作物に応じて畦幅、畦高を適正にして造成すること、及び、植え付ける作物に応じた適正な植え付け間隔（株間、条間）に応じて植え付けることが不確実になりやすく、安心できないものであった。特に、貸し農園を借りて休日を利用して菜園の作業をおこなうサラリーマン等の初心者においては、一層、顕著である。
【０００３】
ところで、畦幅、畦高が適正でない場合は言うに及ばず、株間、条間等の植え付け間隔が狭くなり過ぎると作物の育成に支障が生じ、広くなり過ぎると収穫量が減少するものである。
【０００４】
例えば、下記の表１のように、キャベツの二条植えにおいては、畦幅Ａが１２０〜１４０ｃｍ、株間Ｂが４０ｃｍ、条間Ｃが６０ｃｍ、畦高Ｄが２０ｃｍであるのが適正であり、ニンジンの二条植えにおいては、畦幅Ａが７５ｃｍ、株間Ｂが４ｃｍ、条間Ｃが１０ｃｍ、畦高Ｄが２０ｃｍであるのが適正であり、トマトの一条植えにおいては、畦幅Ａが９０ｃｍ、株間Ｂが４０ｃｍ、畦高Ｄが２０ｃｍであるのが適正であり、このように、植え付け作物によって、植え付けデータＸ（畦幅Ａ、株間Ｂ、条間Ｃ、及び畦高Ｄ等）が異なるものである。
【０００５】
ところで、農業を営む人においても、種々の植え付けデータＸは長年の蓄積に基づく勘に頼っているのであり、基準値を把握し難いものとなっている。
【０００６】
従来において、植え付け作物の畦高、株間、条間、及び畦高等の植え付けデータを計測するための器具として、図９に示すように、鍬の柄２５に長さ目盛りｍを形成しているものがある。（例えば、特許文献１参照）
上記特許文献１に示されている器具は、鍬の柄２５に長さ目盛りｍを形成しているだけなので、植え付け作物の適正な畦高、株間、条間、及び畦高等の植え付けデータは提供されていないものであり、例えば、貸し農園を借りて休日を利用して菜園の作業をおこなう初心者は言うにおよばず、農業に携わる人にとっても有用となり得るものではなかった。
【特許文献１】実開昭６１−５２２０２号公報
【発明の開示】
【発明が解決しようとする課題】
【０００７】
本発明はこのような問題に鑑みてなされたものであり、種々の作物の適正な畦幅、株間、畦高及び条間等の適正な植え付けデータのとおりに誰でもが植え付けることができ、かつ、このような植え付け作業を容易におこなえる作物メジャーを提供することを課題とするものである。
【課題を解決するための手段】
【０００８】
請求項１においては、長尺な本体１に複数の植え付け作物の各々の適正な畦幅Ａ、株間Ｂ、条間Ｃ、及び、畦高Ｄ等の植え付けデータＸを表示する表示域Ｓを上記本体１の長さ方向に帯状に形成するとともに帯状の表示域Ｓを上記本体１の幅方向に区画して上記植え付けデータＸの数に応じて複数本形成し、各表示域Ｓの零位置を一致させ、各表示域Ｓの先頭部に畦幅Ａ、株間Ｂ、条間Ｃ、及び、畦高Ｄ等の植え付けデータＸの呼称を文字表記し、各表示域Ｓに植え付け作物における上記呼称に応じた畦幅Ａ、株間Ｂ、条間Ｃ、及び、畦高Ｄ等の植え付けデータＸを実物大寸法にて作物名の絵柄によって表示していることを特徴とするものである。
【０００９】
請求項１の発明によれば、長尺な本体１には、植え付けデータＸを表示する表示域Ｓを本体１の長さ方向に帯状に形成し、帯状の表示域Ｓを本体１の幅方向に区画して植え付けデータＸの数に応じて複数本形成していて、複数の植え付け作物の各々の適正な畦幅Ａ、株間Ｂ、条間Ｃ、及び、畦高Ｄ等の多くの植え付けデータＸを独立した表示域Ｓにおいて表示することができ、複数の植え付け作物の複数の植え付けデータＸの表示が使用する人に見やすく使いやすい形で表示することができる。
【００１０】
更に、畦幅Ａ、株間Ｂ、条間Ｃ、及び、畦高Ｄ等の植え付け作物に応じた植え付けデータＸの呼称を各表示域Ｓの先頭部に文字表記していて、使用する人が複数の呼称を使用の初期に一目で読むことができ、植え付けようとする作物の植え付けデータＸを見つけやすく、使いやすい。
【００１１】
更に、各表示域Ｓには、植え付け作物ごとの呼称に応じた植え付けデータＸを零位置からの実物大寸法（実寸）にて作物名の絵柄によって表示していて、植え付けようとする作物の畦幅Ａ、株間Ｂ、条間Ｃ、及び、畦高Ｄ等の多くの植え付けデータＸを絵柄に基づいて実寸にて把握することができ、使いやすく、かつ、誰でもが畦幅Ａ、株間Ｂ、条間Ｃ、及び、畦高Ｄ等の多くの植え付けデータＸどおりの植え付けができる。
【００１２】
要するに請求項１の発明においては、複数の植え付け作物の各々の適正な畦幅Ａ、株間Ｂ、条間Ｃ、及び、畦高Ｄ等の多くの植え付けデータＸを独立した表示域Ｓにおいて表示して複数の植え付け作物の複数の植え付けデータＸの表示が見やすい形にでき、使用に際しては、複数の植え付けデータＸの呼称を使用の初期に一目で読むことができ、植え付けに際しては、多くの植え付けデータＸを作物名の描かれた絵柄に基づいて実寸にて把握することができ、植え付け作物の適正な植え付け間隔をだれでもが正確に設定して植え付けることができるのであり、植え付け間隔が狭くなり過ぎて作物の育成に支障が生じることがなく、又、広くなり過ぎて収穫量が低減することがなく、例えば、家庭菜園や貸し農園等を利用して野菜等を趣味で栽培する人達に特に有効となり、又、農業を営む人にとっても基準値を確実に把握でき、有用となる。
【００１３】
請求項２の発明においては、長尺な本体１に長さ目盛りｍを付し、長さ目盛りｍの零位置を基準に植え付けデータＸを表示していることを特徴とするものである。このような構成によれば、造成された畦８の畦幅Ａ、畦高Ｄの確認及び植え付けられた作物の株間Ｂ、条間Ｄの確認を長さ目盛りｍにて容易におこなうことができ、畦８の造成及び植え付け作業をおこないやすくなる。
【００１４】
請求項３の発明においては、長尺な本体１をテープ状に形成していることを特徴とするものである。このような構成によれば、テープ状の長尺な本体１を渦巻き状に巻いておくことで、ほ場などへの携行が容易となる。
【００１５】
請求項４の発明においては、長尺なテープ状の本体１の裏面に粘着剤層１０を形成していることを特徴とするものである。このような構成によれば、作物メジャーＭを農機具４の柄５や棒状体に貼着することで、作物メジャーＭを棒状に形成することができ、作物メジャーＭをほ場やその他の箇所において使いやすくなる。
【００１６】
請求項５の発明においては、作物メジャーＭを農機具４の柄５又は棒状体に設けていることを特徴とするものである。このような構成によれば、作物メジャーＭ付きの農機具４や棒状体を容易に得ることができるのであり、又、鍬や鋤きで畦造りをおこないながらこのような農機具４の柄５や棒状体に形成した適正な植え付けデータＸに基づいて植え付け作物の適正な畦造り及び植え付け間隔を正確にかつ容易に設定することができ、畦８の造成及び植え付け作業を、一層、容易におこなうことができる。
【発明の効果】
【００１７】
要するに、本発明は、種々の作物の適正な畦幅、株間、条間、及び、畦高等の適正な植え付けデータのとおりに誰でもが植え付けることができ、かつ、このような植え付け作業を容易におこなえる。
【発明を実施するための最良の形態】
【００１８】
以下、本発明の実施の形態を説明する。図１（ａ）は全体正面図、同図（ｂ）は拡大断面図である。図２（ａ）は同上の一部破断した拡大正面図、同図（ｂ）は拡大正面図である。図３は植え付けデータを示し、同図（ａ）（ｂ）は説明図である。
【００１９】
作物メジャーＭは、合成樹脂、金属、織物、不織布及び紙等の長尺な帯状の本体１に、例えば、上縁部の全長にわたって白地域１２の表示域Ｓを形成して黒でセンチ単位の長さ目盛りｍを５ｃｍ間隔で付し、その下に赤地域１３の表示域Ｓを形成して多数の植え付け作物の適正な畦幅Ａを絵柄にて表示し、更に、その下に黄地域１４の表示域Ｓを形成して多数の植え付け作物の適正な畦高Ｄを絵柄にて表示し、更に、その下に青地域１５の表示域Ｓを形成して多数の植え付け作物の適正な株間Ｂを絵柄にて表示し、更に、その下に緑地域１６の表示域Ｓを形成して多数の植え付け作物の適正な条間Ｃを絵柄にて表示している。ここで、絵柄イは植え付け作物のニンジンを示し、絵柄ロはピーマンを示し、絵柄ハはキャベツを示し、絵柄ニはハクサイを示し、絵柄ホはトマトを示し、絵柄ヘはナスを示し、絵柄トはキュウリを示している。このような表示はカタカナ、ひらがな或いは漢字によっておこなってもよいものである。ところで、表示している値は、「三重県科学技術センター」より提供された値に基づき作製した表１による。
【００２０】
【表１】
2005164613.tif 000003
【００２１】
このように構成されたテープ状の作物メジャーＭの裏面には粘着剤層１０を形成して離型紙１７を剥離自在に貼っていて、離型紙１７を剥がして、例えば、鋤きや鍬の柄５に接着させるのである。ところで、近年の粘着剤の性能は高められていて、木と合成樹脂テープの接着であっても充分な接着強度を得ることができるものであるが、必要に応じて針金等を部分的に巻いて取付け強度を高めるようにしてもよい。作物メジャーＭの幅は柄５の全周にわたるような広幅なもの、或いは、柄５の周りに部分的におよぶ狭幅なものであってもよい。
【００２２】
しかして、鍬や鋤き等の農機具４にて造成した畦８に作物を植え付けるのに際して、柄５には作物メジャーＭが貼着されていて、つまり、多数の植え付け作物の各々の適正な畦幅Ａ、株間Ｂ、条間Ｃ、及び、畦高Ｄ等の植え付けデータＸを零位置を一致させて実物大寸法にて表示していて、特定の植え付け作物に応じた畦幅Ａ、畦高Ｄの植え付けデータＸに基づいて適正な畦幅Ａ、畦高Ｄで畦造りを誰でもが容易におこなうことができるのであり、又、造成した畦８に作物を植え付けるのに際して、長尺な本体１には特定の植え付け作物の適正な植え付け間隔、つまり、株間Ｂ、条間Ｃが記載されていることから、植え付け作物の適正な植え付け間隔をだれでもが正確に設定して植え付けることができるのであり、植え付け間隔が狭くなり過ぎて作物の育成に支障が生じることがなく、又、広くなり過ぎて収穫量が低減することがなく、例えば、家庭菜園や貸し農園等を利用して野菜等を趣味で栽培する人達に特に有効となり、農業を営む人にとっても基準値を確実に把握でき、有用となるのである。
【００２３】
この場合、長さ目盛りｍの零位置を基準に植え付けデータＸを表示していて、造成された畦８の畦幅Ａ、畦高Ｄの確認及び植え付けられた作物の株間Ｂ、条間Ｄの確認を長さ目盛りｍにて容易におこなうことができ、畦８の造成及び植え付け作業をおこないやすくなる。
【００２４】
しかも、植え付け作物の作物名は絵柄にて表示していて、長尺な本体１に土粒等が付いても作物名を絵柄によって容易に特定しやすく、使いやすい。
【００２５】
又、テープ状の作物メジャーＭには全域又は部分的に凸又は凹部を備える滑り止め部９を形成していて、作物メジャーＭを、例えば、樹脂テープ製にしても滑り止め部９によって手の滑り止めをおこなうことができ、鍬や鋤のような農機具４を使用する際に滑ることがない。ところで、農機具４の柄５に直接、刻印によって植え付けデータＸを形成してもよいものである。
【００２６】
図５乃至図７は他の実施の形態を示し、但し、本実施の形態の基本構成は上記実施の形態と共通であり、共通する部分には同一の符号を付して説明は省略する。
【００２７】
本実施の形態においては、合成樹脂、金属又は木（竹）製の棒状体又はパイプ体１８に上記実施の形態のテープ状の作物メジャーＭを貼着したものであり、ほ場に行く場合に簡単に携行することができ、又、多様に使用できて便利となるものである。この場合、パイプ体１８又は棒状体に刻印を施して植え付けデータＸを形成して作物メジャーＭとしてもよいものである。又、パイプ体１８は複数本、好ましくは二本に分割して使用時に接続するようにしてもよい。又、棒状体の断面形状を問うものではない。
【００２８】
ところで、図６に示す実施の形態においては、パイプ体１８の表面にテープ状の作物メジャーＭを貼着し、パイプ体１８の両端に環状の紐連結具２０、２０を少なくとも一方（両方であってもよい）を着脱自在に差し込み、ねじ止め等にて接続し、両紐連結具２０、２０に紐状体２２を外し自在に係着して農用治具２１を構成したものである。
【００２９】
このような農用治具２１においては、紐状体２２及び紐連結具２０、２０を外したパイプ状の作物メジャーＭによって、上記の適正な植え付け作業をおこなうのに使用するのであり、その後に、パイプ状の作物メジャーＭを農用マルチシート２３のパイプ芯材２４に挿通し、その後、パイプ状の作物メジャーＭに紐連結具２０、２０及び紐状体２２を連結し、紐状体２２を手で牽引することで、農用マルチシート２３を回転させて植え付けを終えた畦８に沿って敷設するのである（図７参照）。敷設後、発芽や苗の生長を待つ等して農用マルチシート２３に穴をあける。
【００３０】
図８は更に他の実施の形態を示し、但し、本実施の形態の基本構成は上記実施の形態と共通であり、共通する部分には同一の符号を付して説明は省略する。
【００３１】
本実施の形態においては、ばね性を備えた金属板に塗装をおこなって各種の植え付けデータＸを付して作物メジャーＭを形成し、このような作物メジャーＭを携帯形の収納ケース１１に巻き込み及び引き出し自在に収納したものである。このように金属帯状の作物メジャーＭを巻き込み方向に付勢して収納ケース１１に装着するのは、周知の巻き尺の構成を採用することで容易に得ることができるものである。
【００３２】
本実施の形態においては、作物メジャーＭを収納ケース１に収納して携帯することができ、携行が容易となり、必要なときに取り出して使うことができ、作物メジャーＭが、一層、使いやすくなる。
【図面の簡単な説明】
【００３３】
【図１】本発明の実施の一形態を示し、（ａ）は全体正面図、（ｂ）は拡大断面図である。
【図２】（ａ）は同上の一部破断した拡大正面図、（ｂ）は部分拡大正面図である。
【図３】同上の植え付けデータを示し、（ａ）（ｂ）は説明図である。
【図４】同上の他の実施の形態を示し、（ａ）は斜視図、（ｂ）は部分拡大斜視図である。
【図５】同上の更に他の実施の形態を示し、（ａ）は斜視図、（ｂ）は拡大断面図である。
【図６】同上の更に他の実施の形態を示す斜視図である。
【図７】同上の作用を示す斜視図である。
【図８】同上の更に他の実施の形態の斜視図である。
【図９】従来例の斜視図である。
【符号の説明】
【００３４】
１  長尺な本体
Ａ  畦幅
Ｂ  株間
Ｃ  条間
Ｄ  畦高
Ｓ  表示域
【図１】
2005164613.tif 000004
【図２】
2005164613.tif 000005
【図３】
2005164613.tif 000006
【図４】
2005164613.tif 000007
【図５】
2005164613.tif 000008
【図６】
2005164613.tif 000009
【図７】
2005164613.tif 000010
【図８】
2005164613.tif 000011
【図９】
2005164613.tif 000012